(57)【要約】【課題】  プレフィルドシリンジに指を懸ける部分に違和感の無いガスケット抜け防止機構を付与する。また、特に粘度の低い薬液の充填に好適なガスケット抜け防止機構付きプレフィルドシリンジを安価に提供する。【解決手段】  本発明のガスケット抜け防止機構は、内径が僅かに拡径した基端１２と環状係合手段１３を有するバレル１と、このバレル１に挿着されたストッパー２を含み、このストッパー２は、内径がバレルの内径より小さく形成されるとともに、先端に環状係合手段１３と係合する被係合手段２２が設けられている。ストッパー２の基端側部分２１はその外径が拡径されて、被係合手段２２と環状係合手段１３が係合したときに、バレル１の基端１２と衝合するようにされている。【選択図】      図２
2008253812.tif 000002
【特許請求の範囲】
【請求項１】
基端の内径が僅かに拡径されるとともに、該基端に隣接して環状係合手段が設けられてなるバレルと、該バレルの基端開口から挿着されたリング状のストッパーを含み、該ストッパーは、内径がバレルの内径より小さく形成されるとともに、先端に前記環状係合手段と係合する被係合手段が設けられており、基端側の外径が拡径されて、前記被係合手段と前記環状係合手段が係合したときに、前記バレルの基端と衝合するようにされてなる、プレフィルドシリンジのガスケット抜け防止機構。
【請求項２】
バレルの環状係合手段が環状溝であり、ストッパーの環状係合手段が環状リブである請求項１に記載のガスケット抜け防止機構。
【請求項３】
バレルの環状係合手段が環状リブであり、ストッパーの環状係合手段が環状溝である請求項１に記載のガスケット抜け防止機構。
【発明の詳細な説明】
【技術分野】
【０００１】
本発明は、予め薬液を充填した所謂プレフィルドシリンジに好適なガスケット抜け防止機構に関する。
【背景技術】
【０００２】
プレフィルドシリンジにおいては、バレルに充填された薬液は、その基端側開口から挿着されたガスケットによって密封されるが、バレル内に空気が存在すると単純にはガスケットの挿着が出来ない。そこで、プレフィルドシリンジのガスケットの打栓方法について、従来、スリーブ打栓方式と真空打栓方式が採用されている。
スリーブ打栓方式は、バレル内にバレルの内径よりも少し小さい外径の金属のパイプを挿入し、このパイプ内にガスケットを押しこんだ後、パイプだけを引き出すことによって打栓するという方式であり、バレルにストッパーを設けると、それが邪魔になってガスケット内に金属のパイプを挿入することが出来ないという問題があり、ディスポシリンジにおけるようなガスケット抜け防止のストッパーを設けることが困難であった。
【０００３】
一方、真空打栓方式は、バレルを真空雰囲気に置いてバレル内を真空状態にし、バレルの開口部にガスケットを挿着した後、真空雰囲気を大気圧に戻すことによりガスケットを打栓する方式であり、バレルにストッパーを設けることは可能であるが、設備にコストがかかるという欠点を有している上、粘度の低いさらさらした薬液の場合、真空にした時に薬液が突沸するという問題があり、バレル内に充填される薬液が限定されるという欠点を有している。
【０００４】
このような事情から、スリーブ方式を採用したプレフィルドシリンジにストッパーを組合せる方法が種々検討されており、フランジの後面全体を覆うように被せて使用するストッパー（特許第３０７４６５５号公報、図１）や、バレル基端の開口に装着するストッパー機能付きフランジ（特公平８−８９２９号公報の図１、特許第２９１１０８６号公報の図４、特許第３２５６４２１号公報の図１０など）が知られている。
しかしながら、前者のストッパーは嵩張るために扱い難い上、指を懸ける部分に段差が生じるため違和感があるという欠点を有している。また、後者のストッパー機能付きフランジは、バレルとの嵌合が甘くなる虞がある上、前者同様、指を懸ける部分に違和感があるという欠点を有している。
【発明の開示】
【発明が解決しようとする課題】
【０００５】
本発明は、如上の事情に鑑みてなされたもので、スリーブ打栓方式で製造されるプレフィルドシリンジに指を懸ける部分に違和感の無いガスケット抜け防止機構を付与することを目的とする。また、本発明は、プレフィルドシリンジ、特に粘度の低い薬液の充填に好適なガスケット抜け防止機構付きプレフィルドシリンジを安価に提供することを目的とする。
【課題を解決するための手段】
【０００６】
本発明者等は上記課題を解決するために、鋭意検討の結果、バレルの内腔にストッパーとの係合手段を設け、ストッパーを直接バレルの内腔に嵌めこめるようにすればよいことに想到し、本発明に到達した。すなわち本発明は、基端の内径が僅かに拡径されるとともに、この基端に隣接して環状係合手段が設けられてなるバレルと、このバレルの基端開口から挿着されたリング状のストッパーを含み、このストッパーは、内径がバレルの内径より小さく形成されるとともに、先端に前記環状係合手段と係合する被係合手段が設けられており、基端側の外径が拡径されて、前記被係合手段と前記環状係合手段が係合したときに、前記バレルの基端と衝合するようにされてなる、プレフィルドシリンジのガスケット抜け防止機構に関する。
ここで、バレルとストッパーの係合は、バレルの環状係合手段を環状溝とし、ストッパーの被係合手段を環状リブにしても、バレルの環状係合手段を環状リブとし、ストッパーの被係合手段を環状溝にしてもよい。
【発明の効果】
【０００７】
本発明を採用することにより、プレフィルドシリンジに指を懸ける部分に違和感の無いガスケット抜け防止機構を付与することができる。また、特に粘度の低い薬液の充填に好適なガスケット抜け防止機構付きプレフィルドシリンジを安価に提供することができる。
【発明を実施するための最良の形態】
【０００８】
次に、本発明の実施例について、図面を用いて説明する。
図１は本発明のガスケット抜け防止機構の一実施例を示す平面図（基端側から見た図）であり、図２は図１のＸ−Ｘ線要部断面図、図３は図２に示すストッパーの側面図、図４は本発明のガスケット抜け防止機構を備えたプレフィルドシリンジの一例を示す図である。
図１〜図４に示すように、本発明のガスケット抜け防止機構は、内径が僅かに拡径した基端１２と環状係合手段１３を有するバレル１と、このバレル１に挿着されたストッパー２を含み、このストッパー２は、内径がバレルの内径より小さく形成されるとともに、先端に環状係合手段１３と係合する被係合手段２２が設けられている。ストッパー２の基端側部分２１はその外径が拡径されて、被係合手段２２と環状係合手段１３が係合したときに、バレル１の基端１２と衝合するようにされている。
尚、３はガスケット、４はプランジャである。
【０００９】
バレル１は、通常、耐薬品性の透明なプラスチック、例えばポリプロピレン、ポリエチレン等で形成された筒状部材であり、基端１２の内径が僅かに拡径されるとともに、この基端１２に隣接して環状係合手段としての環状溝１３が設けられている。そして、その基端外壁には指を掛けるためのフランジ１１が設けられており、このバレル１の基端開口からリング状のストッパー２が挿着されている。
【００１０】
このストッパー２は、通常、可撓性プラスチックの、例えばポリプロピレンやポリエチレン、ＡＢＳ樹脂、ポリ塩化ビニル、ポリエステルなどで形成されたリング状部材であり、その内径がバレル１の内径より小さく形成されており、先端に環状溝１３と係合する被係合手段としての環状リブ２２が設けられている。そして、基端側部分２１は、その外径が拡径されており、環状リブ２２と環状溝１３が係合したときに、バレル１の基端１２と衝合するようになっている。すなわち、ストッパー２の先端側部分２１は、環状リブ２２と環状溝１３が係合したときに、バレル１の基端１２に衝突する衝合面２１１を有している。
ここで、バレル１とストッパー２の係合は、図示していないが、バレル１の環状係合手段を環状リブとし、ストッパー２の被係合手段を環状溝にしてもよい。
【００１１】
以上述べたことから明らかなように、本発明を採用することにより、プレフィルドシリンジに指を懸ける部分に違和感の無いガスケット抜け防止機構を付与することができる。また、特に粘度の低い薬液の充填に好適なガスケット抜け防止機構付きプレフィルドシリンジを安価に提供することができる。
【図面の簡単な説明】
【００１２】
【図１】本発明のガスケット抜け防止機構の一実施例を示す平面図（基端側から見た図）である。
【図２】図１のＸ−Ｘ線要部断面図である。
【図３】図２に示すストッパーの側面図である。
【図４】本発明のガスケット抜け防止機構を備えたプレフィルドシリンジの一例を示す図である。
【符号の説明】
【００１３】
１  バレル
１１  フランジ
１２  基端
１３  環状リブ
２  ストッパー
２１  基端側部分
２１１  衝合面
２２  環状溝
３  ガスケット
４  プランジャ
【図１】
2008253812.tif 000003
【図２】
2008253812.tif 000004
【図３】
2008253812.tif 000005
【図４】
2008253812.tif 000006